(57)【要約】【課題】配信先の端末に応じて配信データを最適化して、コンテンツを効率的に配信する。【解決手段】本実施形態に係るサイネージシステムは、ネットワークを介して配信されたコンテンツを再生するためのサイネージ端末のディスプレイのサイズに応じて、コンテンツの画像のサイズを縮小する縮小手段と、縮小手段によって画像のサイズが縮小されたコンテンツを、ネットワークを介して、サイネージ端末に配信する配信手段と、を備える。【選択図】図８
2016189081.tif 000002
【特許請求の範囲】
【請求項１】
ネットワークを介して配信されたコンテンツを再生するためのサイネージ端末のディスプレイのサイズに応じて、前記コンテンツの画像のサイズを縮小する縮小手段と、
前記縮小手段によって前記画像のサイズが縮小された前記コンテンツを、前記ネットワークを介して、前記サイネージ端末に配信する配信手段と、
を備えるサイネージシステム。
【請求項２】
前記縮小手段は、前記コンテンツの前記画像の幅に対する前記ディスプレイの幅の比と、前記コンテンツの前記画像の高さに対する前記ディスプレイの高さの比との比較結果に基づいて、前記画像のサイズを縮小する請求項１に記載のサイネージシステム。
【請求項３】
前記サイネージ端末ごとに前記ディスプレイのサイズを示すサイズ情報を記憶する記憶手段を備え、
前記縮小手段は、前記記憶手段に記憶された前記サイズ情報に基づいて、前記コンテンツの前記画像を縮小する請求項１又は２に記載のサイネージシステム。
【請求項４】
前記サイネージ端末の前記ディスプレイのサイズを示す前記サイズ情報を、前記記憶手段に記憶させるための入力手段を備える請求項３に記載のサイネージシステム。
【請求項５】
前記サイネージ端末と
前記縮小手段及び前記配信手段を備えるサーバと、
を備える請求項１乃至４のいずれか一項に記載のサイネージシステム。
【発明の詳細な説明】
【技術分野】
【０００１】
本発明の実施形態は、サイネージシステムに関する。
【背景技術】
【０００２】
商品の宣伝やイベントなどの情報を顧客へ提供するシステムとして、デジタルサイネージシステムが知られている。この種のサイネージシステムでは、インターネットなどのネットワークを介して配信されたコンテンツが、例えば店頭や街頭などに設置されたディスプレイに表示される。
【０００３】
サイネージ端末の種類は多岐にわたり、例えば店舗の陳列棚に設置されるサイネージ端末は、ディスプレイのサイズが７インチ前後のものが多く、駅の構内などに設置されるサイネージ端末は、ディスプレイのサイズが２０インチを超えるものもある。このため、サイネージ端末に配信される映像データの画像サイズは、最も大きなディスプレイで再生されたときに、視聴に耐えうる程度の大きさに設定されることが多い。
【０００４】
しかしながら、小型のサイネージ端末は、メモリの容量が小さく、データの処理能力も低い。このため、サイズが大きいコンテンツが配信された場合には、データの処理に問題が生じることが考えられる。このような場合には、コンテンツの再生前に、画像のサイズを、サイネージ端末が備えるディスプレイのサイズに基づいて最適化する必要がある。
【０００５】
特許文献１には、表示する画像のサイズを端末のディスプレイに合わせて最適化する技術が開示されている。特許文献１に開示された端末は、当該端末にダウンロードされた画像データのサイズを、ディスプレイの大きさに合わせて最適化する。
【０００６】
しかしながら、引用文献１に開示された技術では、画像データのサイズが最適化される前に、画像データが供給元から端末に配信される。そのため、データの配信に長時間を要することがある。また、配信先の端末が、小型で処理能力が低いものである場合には、画像データの最適化に長時間を要することも考えられる。
【先行技術文献】
【特許文献】
【０００７】
【特許文献１】特開２０００−２２２３３０号公報
【発明の概要】
【発明が解決しようとする課題】
【０００８】
本発明は、配信先の端末に応じて配信データを最適化して、コンテンツを効率的に配信することを課題とする。
【課題を解決するための手段】
【０００９】
上記課題を解決するため、本実施形態に係るサイネージシステムは、ネットワークを介して配信されたコンテンツを再生するためのサイネージ端末のディスプレイのサイズに応じて、コンテンツの画像のサイズを縮小する縮小手段と、縮小手段によって画像のサイズが縮小されたコンテンツを、ネットワークを介して、サイネージ端末に配信する配信手段と、を備える。
【図面の簡単な説明】
【００１０】
【図１】本実施形態に係るサイネージシステムのブロック図である。
【図２】管理端末のブロック図である。
【図３】コンテンツ情報の概念図である。
【図４】サイズ情報の概念図である。
【図５】管理端末のＣＰＵが実行する一連の処理を示すフローチャートである。
【図６】サイネージ端末のブロック図である。
【図７】サイネージサーバのブロック図である。
【図８】サイネージサーバのＣＰＵが実行する一連の処理を示すフローチャートである。
【図９】コンテンツの画像と、サイネージ端末のディスプレイと示す図である。
【図１０】コンテンツの画像に対する縮小処理を説明するための図である。
【図１１】コンテンツの画像に対する縮小処理を説明するための図である。
【発明を実施するための形態】
【００１１】
以下、本発明の一実施形態を、図面を用いて説明する。図１は、本実施形態に係るサイネージシステム１０のブロック図である。図１に示されるように、サイネージシステム１０は、ＬＡＮ（Local Area Network）やインターネットなどのネットワーク７０を介して相互に接続されるサイネージ端末２０ａ〜２０ｃ、管理端末３０、サイネージサーバ４０を備えている。
【００１２】
図２は、管理端末３０のブロック図である。図２に示されるように、管理端末３０は、ＣＰＵ（Central Processing Unit）３１、主記憶部３２、補助記憶部３３、インタフェース３４、ディスプレイ３５、入力部３６、及び上記各部を相互に接続するシステムバス３７を有している。
【００１３】
ＣＰＵ３１は、補助記憶部３３に記憶されたプログラムを読み出して実行する。ＣＰＵ３１の具体的な動作については後述する。
【００１４】
主記憶部３２は、ＲＡＭ（Random Access Memory）等の揮発性メモリを有している。主記憶部３２は、ＣＰＵ３１の作業領域として用いられる。
【００１５】
補助記憶部３３は、ＲＯＭ（Read Only Memory）、磁気ディスク、半導体メモリなどの不揮発性メモリを有している。補助記憶部３３は、ＣＰＵ３１が実行するプログラム及び各種パラメータや、コンテンツ情報１０１、サイズ情報１０２などを記憶している。
【００１６】
図３は、コンテンツ情報１０１の概念図である。コンテンツ情報１０１は、例えば、管理端末３０からサイネージサーバ４０へ送信され、その後、サイネージサーバ４０から、各サイネージ端末２０ａ〜２０ｃに配信される情報である。図３に示されるように、コンテンツ情報１０１は、コンテンツＩＤ、ファイル名、コンテンツを有している。
【００１７】
コンテンツは、例えばＭＰＥＧ、ＭＰ３、或いはＷＭＶ形式で記録されたビデオデータである。サイネージ端末２０ａ〜２０ｃでは、コンテンツに示される内容が映像として再生される。ファイル名は、コンテンツに付された名称である。また、コンテンツＩＤは、コンテンツを識別するために、コンテンツそれぞれに、一意に付与された識別符号である。コンテンツＩＤは、例えばアルファベットや数字などからなる。コンテンツ情報１０１からは、例えば、「ビデオデータ１」のファイル名が「Ｆｉｌｅ１」であり、識別符号が「Ｃ００１」であることなどがわかる。
【００１８】
図４は、サイズ情報１０２の概念図である。サイズ情報１０２は、管理端末３０からサイネージサーバ４０へ送信される情報である。図４に示されるように、サイズ情報１０２は、端末ＩＤ、ディスプレイサイズを含むＣＳＶ（Comma-Separated Values）ファイルである。
【００１９】
端末ＩＤは、サイネージ端末２０ａ〜２０ｃそれぞれに、一意に付与された識別符号である。端末ＩＤは、例えばアルファベットや数字などからなる。本実施形態では、サイネージ端末２０ａ〜２０ｃそれぞれに、「Ｔ００１」，「Ｔ００２」，「Ｔ００３」が、端末ＩＤとして付与されている。ディスプレイサイズは、サイネージ端末２０ａ〜２０ｃそれぞれのディスプレイのサイズを解像度として示す情報である。
【００２０】
サイズ情報１０２からは、例えば、端末ＩＤ「Ｔ００１」で示されるサイネージ端末２０ａのディスプレイが、縦方向の数が４８０で横方向の数が８５４のマトリクス状に配列された４８０×８５４個の画素からなることなどがわかる。
【００２１】
上述したサイズ情報１０２は、サイネージ端末２０ａ〜２０ｃが設置されたときに、ユーザによって予め管理端末３０に記憶される。そして、サイネージ端末２０ａ〜２０ｃの交換時や、新たなサイネージ端末が設置されるごとに、ユーザによって更新される。
【００２２】
図２に戻り、インタフェース３４は、ＬＡＮインタフェース、シリアルインタフェース、パラレルインタフェース、アナログインタフェースなどを備えている。管理端末３０は、インタフェース３４を介して、ネットワーク７０に接続される。
【００２３】
ディスプレイ３５は、ＬＣＤ（Liquid Crystal Display）などの表示ユニットを有している。ディスプレイ３５は、プログラムを実行するＣＰＵ３１によって生成される画像などを表示する。
【００２４】
入力部３６は、キーボードと、マウス或いはタッチパネルなどのポインティングデバイスを有している。ユーザは、入力部３６を介して、ＣＰＵ３１に種々の指令を通知することができる。
【００２５】
上述のように構成される管理端末３０のＣＰＵ３１は、補助記憶部４３から読み出したプログラムに従った処理を実行する。以下、ＣＰＵ３１が実行する処理を、図５に示されるフローチャートに基づいて説明する。図５のフローチャートに示される処理は、管理端末３０が起動され、ＣＰＵ３１が、補助記憶部３３からプログラムを読み出した後に実行される。
【００２６】
まず、ＣＰＵ３１は、コンテンツ情報１０１をサイネージサーバ４０へ送信するためのコンテンツ送信指令を待ち受ける（ステップＳ１０１）。ＣＰＵ３１は、ユーザからのコンテンツ送信指令を受け付けると（ステップＳ１０１：Ｙｅｓ）、コンテンツ情報１０１を、サイネージサーバ４０へ送信する（ステップＳ１０２）。
【００２７】
ＣＰＵ３１は、ユーザによるコンテンツ送信指令の入力がない場合や（ステップＳ１０１：Ｎｏ）、コンテンツ情報１０１の送信が完了したら（ステップＳ１０２）、サイズ情報１０２をサイネージサーバ４０へ送信するためのサイズ情報送信指令を待ち受ける（ステップＳ１０３）。ＣＰＵ３１は、ユーザからのサイズ情報送信指令を受け付けると（ステップＳ１０３：Ｙｅｓ）、サイズ情報１０２を、サイネージサーバ４０へ送信する（ステップＳ１０４）。これにより、サイネージサーバ４０に、サイズ情報１０２が記憶される。また、サイネージサーバ４０に既存のサイズ情報１０２が記憶されているときには、当該サイズ情報１０２が更新される。ＣＰＵ３１は、上述した処理（ステップＳ１０１〜Ｓ１０４）を繰り返し実行する。
【００２８】
図６は、サイネージ端末２０ａのブロック図である。図６に示されるように、サイネージ端末２０ａは、ＣＰＵ２１、主記憶部２２、補助記憶部２３、インタフェース２４、スキャナユニット２５、プリントユニット２６、ディスプレイ２７、入力部２８、及び上記各部を相互に接続するシステムバス２９を有している。
【００２９】
ＣＰＵ２１は、補助記憶部２３に記憶されたプログラムを読み出して実行する。ＣＰＵ２１の具体的な動作については後述する。
【００３０】
主記憶部２２は、ＲＡＭ等の揮発性メモリを有している。主記憶部２２は、ＣＰＵ２１の作業領域として用いられる。
【００３１】
補助記憶部２３は、ＲＯＭ、磁気ディスク、半導体メモリなどの不揮発性メモリを有している。補助記憶部２３は、ＣＰＵ２１が実行するプログラム及び各種パラメータや、コンテンツ情報１０１を記憶している。サイネージ端末２０ａのコンテンツ情報１０１は、サイネージサーバ４０から配信されるものである。
【００３２】
インタフェース２４は、ＬＡＮインタフェース、シリアルインタフェース、パラレルインタフェース、アナログインタフェースなどを備えている。サイネージ端末２０ａは、インタフェース２４を介して、ネットワーク７０に接続される。
【００３３】
スキャナユニット２５は、顧客などのユーザが所持するカードや、レシートに印刷されたバーコードなどの識別コードを読み取る。そして、読み取った結果を電子データとして出力する。
【００３４】
プリントユニット２６は、ロール紙などの連続紙に情報を印刷してレシートを作成する。プリントユニット２６としては、例えばサーマルプリンタやドットプリンタなどが用いられる。
【００３５】
ディスプレイ２７は、ＬＣＤなどの表示ユニットを有している。ディスプレイ２７は、プログラムを実行するＣＰＵ２１によって生成される画像などを表示する。
【００３６】
入力部２８は、タッチパネルを有している。ディスプレイ２７と入力部２８はＧＵＩを構成する。このため、顧客は、入力部２８を構成するタッチパネルを介して、ディスプレイ２７に表示されるアイコンやボタンにタッチすることで、ＣＰＵ２１に種々の指示を通知することができる。
【００３７】
上述のように構成されるサイネージ端末２０ａのＣＰＵ２１は、補助記憶部２３から読み出したプログラムに従った処理を実行する。具体的には、読み出したプログラムに従ったルールやスケジュールで、コンテンツを選択し再生する。コンテンツの再生は、プログラムによって特定されるコンテンツＩＤを参照して、ビデオデータを補助記憶部２３から選択し、選択したビデオデータを再生することにより行う。例えば、プログラムによって特定されたコンテンツＩＤが「Ｃ００２」であった場合には、ＣＰＵ２１は、補助記憶部２３から、コンテンツＩＤ「Ｃ００２」に関連付けられたコンテンツとして、「ビデオデータ２」を選択して再生する。これにより、サイネージ端末２０ａのディスプレイ２７に、「ビデオデータ２」に基づいた映像が表示される。サイネージ端末２０ｂ，２０ｃも、サイネージ端末２０ａと同等の構成を有している。
【００３８】
図７は、サイネージサーバ４０のブロック図である。図７に示されるように、サイネージサーバ４０は、ＣＰＵ４１、主記憶部４２、補助記憶部４３、インタフェース４４、ディスプレイ４５、入力部４６、及び上記各部を相互に接続するシステムバス４７を有している。
【００３９】
ＣＰＵ４１は、補助記憶部４３に記憶されたプログラムを読み出して実行する。ＣＰＵ４１の具体的な動作については後述する。
【００４０】
主記憶部４２は、ＲＡＭ等の揮発性メモリを有している。主記憶部４２は、ＣＰＵ４１の作業領域として用いられる。
【００４１】
補助記憶部４３は、ＲＯＭ、磁気ディスク、半導体メモリなどの不揮発性メモリを有している。補助記憶部４３は、ＣＰＵ４１が実行するプログラム及び各種パラメータや、コンテンツ情報１０１及びサイズ情報１０２などを記憶している。
【００４２】
インタフェース４４は、ＬＡＮインタフェース、シリアルインタフェース、パラレルインタフェース、アナログインタフェースなどを備えている。サイネージサーバ４０は、インタフェース４４を介して、ネットワーク７０に接続される。
【００４３】
ディスプレイ４５は、ＬＣＤなどの表示ユニットを有している。ディスプレイ４５は、プログラムを実行するＣＰＵ４１によって生成される画像などを表示する。
【００４４】
入力部４６は、キーボードと、マウス或いはタッチパネルなどのポインティングデバイスを有している。ユーザは、入力部４６を介して、ＣＰＵ４１に種々の指令を通知することができる。
【００４５】
上述のように構成されるサイネージサーバ４０のＣＰＵ４１は、補助記憶部４３から読み出したプログラムに従った処理を実行する。以下、ＣＰＵ４１が実行する処理を、図８に示されるフローチャートに基づいて説明する。図８のフローチャートに示される処理は、サイネージサーバ４０が起動され、ＣＰＵ４１が、補助記憶部４３からプログラムを読み出した後に実行される。
【００４６】
まず、ＣＰＵ４１は、管理端末３０から送信されるコンテンツ情報１０１を待ち受ける（ステップＳ２０１）。ＣＰＵ４１は、コンテンツ情報１０１を管理端末３０から受信すると（ステップＳ２０１：Ｙｅｓ）、受信したコンテンツ情報１０１に含まれるコンテンツの画像サイズを特定する（ステップＳ２０２）。画像サイズは、コンテンツを構成するデータに基づいて特定することができ、例えば縦方向のピクセル数と横方向のピクセル数によって示される。
【００４７】
次に、ＣＰＵ４１は、コンテンツの画像の縦方向の縦縮小率Ｒｖを算出する（ステップＳ２０３）。図９は、コンテンツの画像ＰＳと、サイネージ端末２０ａのディスプレイ２７とを示す図である。図９に示されるように、画像ＰＳの縦方向のピクセル数がＰｖで横方向のピクセル数がＰｈであり、ディスプレイ２７の縦方向のピクセル数がＤｖで横方向のピクセル数がＤｈである場合には、縦縮小率Ｒｖは、次式（１）によって算出することができる。
【００４８】
Ｒｖ＝Ｐｖ／Ｄｖ…（１）
例えば、画像ＰＳのサイズが２０００×１０００（＝Ｐｈ×Ｐｖ）であって、ディスプレイ２７のサイズが１０００×８００（＝Ｄｈ×Ｄｖ）の場合には、縦縮小率Ｒｖは１．２５（＝１０００／８００）となる。
【００４９】
次に、ＣＰＵ４１は、コンテンツの画像の横方向の横縮小率Ｒｈを算出する（ステップＳ２０４）。横縮小率Ｒｈは、次式（２）によって算出することができる。
【００５０】
Ｒｈ＝Ｐｈ／Ｄｈ…（２）
例えば、画像サイズが２０００×１０００（＝Ｐｈ×Ｐｖ）であって、ディスプレイのサイズが１０００×８００（＝Ｄｈ×Ｄｖ）の場合には、横縮小率Ｒｈは２（＝２０００／１０００）となる。
【００５１】
次に、ＣＰＵ４１は、縦縮小率Ｒｖと横縮小率Ｒｈとを比較する（ステップＳ２０５）。そして、縦縮小率Ｒｖが横縮小率Ｒｈよりも小さいと判断した場合には（ステップＳ２０５：Ｙｅｓ）、コンテンツの画像ＰＳを、横縮小率Ｒｈで縮小する（ステップＳ２０６）。具体的には、画像ＰＳの縦方向及び横方向の大きさを１／Ｒｈに縮小する。
【００５２】
これにより、図１０に示されるように、画像ＰＳの横方向の大きさがディスプレイ２７の横方向の大きさと等しくなり、画像ＰＳの縦方向の大きさがディスプレイ２７の縦方向の大きさよりも小さくなる。したがって、コンテンツの画像全部を、サイネージ端末２０ａ〜２０ｃのディスプレイ２７に表示することが可能となる。ＣＰＵ４１は、上記ステップＳ２０５，Ｓ２０６の処理を、サイネージ端末２０ａ〜２０ｃごとに実行する。
【００５３】
一方、ＣＰＵ４１は、縦縮小率Ｒｖと横縮小率Ｒｈとを比較して（ステップＳ２０５）、縦縮小率Ｒｖが横縮小率Ｒｈ以上であると判断した場合には（ステップＳ２０５：Ｎｏ）、コンテンツの画像ＰＳを、縦縮小率Ｒｖで縮小する（ステップＳ２０７）。この場合には、図１１に示されるように、画像ＰＳの縦方向の大きさがディスプレイ２７の縦方向の大きさと等しくなり、画像ＰＳの横方向の大きさがディスプレイ２７の横方向の大きさよりも小さくなる。したがって、コンテンツの画像全部を、サイネージ端末２０ａ〜２０ｃのディスプレイ２７に表示することが可能となる。ＣＰＵ４１は、上記ステップＳ２０５，Ｓ２０７の処理を、サイネージ端末２０ａ〜２０ｃごとに実行する。
【００５４】
次に、ＣＰＵ４１は、コンテンツ情報１０１をサイネージ端末２０ａ〜２０ｃそれぞれに配信する（ステップＳ２０８）。サイネージ端末２０ａ〜２０ｃそれぞれに、コンテンツ情報１０１が配信されると、コンテンツ情報１０１に含まれるコンテンツが、サイネージ端末２０ａ〜２０ｃのディスプレイに再生される。
【００５５】
以上説明したように、本実施形態では、コンテンツ情報１０１がサイネージ端末２０ａ〜２０ｃに配信される前に、コンテンツ情報１０１に含まれるコンテンツの画像のサイズが、送信先のサイネージ端末２０ａ〜２０ｃのディスプレイ２７の大きさに応じて縮小される。そして、サイネージ端末２０ａ〜２０ｃへ、ディスプレイサイズに合致した画像サイズに最適化されたコンテンツが配信される。このため、サイネージ端末２０ａ〜２０ｃへ、必要以上に大きなサイズのデータが配信されることがなくなり、コンテンツを配信するときの通信負荷を低減することが可能となる。
【００５６】
また、サイネージ端末２０ａ〜２０ｃには、ディスプレイサイズに合致した画像サイズに最適化されたコンテンツが配信される。このため、サイネージ端末２０ａ〜２０ｃへ、各端末のデータ処理能力を超えたコンテンツが配信されることがない。そのため、サイネージ端末２０ａ〜２０ｃのメモリの使用量を抑えることができる。また、サイネージ端末２０ａ〜２０ｃにおける再生時の負荷を低減することができる。
【００５７】
以上、本発明の実施形態について説明したが、本発明は上記実施形態によって限定されるものではない。例えば、上記実施形態では、コンテンツの画像の画素数と、ディスプレイの画素数との比を縦縮小率Ｒｖ、横縮小率Ｒｈとして算出する場合について説明した。これに限らず、ディスプレイの縦横の寸法と、コンテンツの画像の画素数などから縮小率を算出することとしてもよい。
【００５８】
上記実施形態では、コンテンツの画像の縮小するための縮小処理（例えばステップＳ２０２〜Ｓ２０７）をサイネージサーバ４０が実行することとした。これに限らず、縮小処理を管理端末３０が実行することとしてもよい。
【００５９】
上記実施形態では、サイネージ端末ごとに縮小処理を実行する場合について説明した。これに限らず、画面サイズごとに縮小処理を実行することとしてもよい。具体的には、サイネージ端末のディスプレイのサイズが同じものについては、サイネージ端末ごとに縮小処理を行うのではなく、一度縮小処理をして最適化したコンテンツを、ディスプレイサイズが等しいサイネージ端末それぞれに配信することとしてもよい。
【００６０】
また、ディスプレイサイズごとに最適化した複数のコンテンツ情報１０１を、予め生成しておき、配信先のサイネージ端末に対応するサイズのコンテンツを含むコンテンツ情報１０１を配信することとしてもよい。
【００６１】
上記実施形態では、サイネージシステム１０が、管理端末３０とサイネージサーバ４０を有している場合について説明した。これに限らず、管理端末３０とサイネージサーバ４０を、例えば１台のコンピュータで構成してもよい。また、管理端末３０とサイネージ端末２０ａ〜２０ｃを１台のコンピュータで構成してもよい。
【００６２】
上記実施形態では、サイネージシステム１０が３つのサイネージ端末２０ａ〜２０ｃを備えている場合について説明した。これに限らず、サイネージシステム１０は、２つ以下、或いは４つ以上のサイネージ端末を有していてもよい。
【００６３】
サイネージ端末２０ａ〜２０ｃ、管理端末３０、及びサイネージサーバ４０それぞれの補助記憶部に記憶されているプログラムは、例えばフレキシブルディスク、ＣＤ−ＲＯＭ（Compact Disk Read-Only Memory）、ＤＶＤ（Digital Versatile Disk）、ＭＯ（Magnet-Optical Disk）等のコンピュータ読み取り可能な記録媒体に格納されたプログラムや、ネットワークを介してダウンロードされたプログラムが、サイネージ端末２０ａ〜２０ｃ、管理端末３０、及びサイネージサーバ４０にインストールされたものであることが考えられる。
【００６４】
本発明の実施形態を説明したが、上記実施形態は、例として提示したものであり、発明の範囲を限定することは意図していない。これら新規な実施形態は、その他の様々な形態で実施しうるものであり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００６５】
１０  サイネージシステム
２０ａ〜２０ｃ  サイネージ端末
２１  ＣＰＵ
２２  主記憶部
２３  補助記憶部
２４  インタフェース
２５  スキャナユニット
２６  プリントユニット
２７  ディスプレイ
２８  入力部
２９  システムバス
３０  管理端末
３１  ＣＰＵ
３２  主記憶部
３３  補助記憶部
３４  インタフェース
３５  ディスプレイ
３６  入力部
３７  システムバス
４０  サイネージサーバ
４１  ＣＰＵ
４２  主記憶部
４３  補助記憶部
４４  インタフェース
４５  ディスプレイ
４６  入力部
４７  システムバス
７０  ネットワーク
１０１  コンテンツ情報
１０２  サイズ情報
ＤＳ  ディスプレイ
ＰＳ  画像
【図１】
2016189081.tif 000003
【図２】
2016189081.tif 000004
【図３】
2016189081.tif 000005
【図４】
2016189081.tif 000006
【図５】
2016189081.tif 000007
【図６】
2016189081.tif 000008
【図７】
2016189081.tif 000009
【図８】
2016189081.tif 000010
【図９】
2016189081.tif 000011
【図１０】
2016189081.tif 000012
【図１１】
2016189081.tif 000013